(57)【要約】携帯用マルチディスプレイ装置は、各種の回路およびディスプレイが装着され、そのディスプレイが一側面にて互いに近接するように構成された少なくとも二つのパネルハウジングと、該ディスプレイをパネルハウジングに装着するために該ディスプレイを固定するフレームであって、その一側面にスクリーン繋ぎ部を有するフレームとを備える。
2005516259.tif 000002
【特許請求の範囲】
【請求項１】
各種の回路およびディスプレイが装着され、これらのディスプレイをその一側面にて互いに近接させうるように構成された、少なくとも二つ以上のパネルハウジングと、
前記ディスプレイを前記パネルハウジングに装着すべく固定するためのフレームであって、その一側面にスクリーン繋ぎ部を有するフレームと
を備えたことを特徴とする携帯用マルチディスプレイ装置。
【請求項２】
前記スクリーン繋ぎ部が、開口していることを特徴とする請求項１記載の携帯用マルチディスプレイ装置。
【請求項３】
前記スクリーン繋ぎ部が、前記フレームの上部には形成されていないことを特徴とする請求項１記載の携帯用マルチディスプレイ装置。
【請求項４】
前記スクリーン繋ぎ部が、前記フレームの他の部分よりも薄く形成されていることを特徴とする請求項１記載の携帯用マルチディスプレイ装置。
【請求項５】
前記フレームに装着されるディスプレイが、係合手段を備えていることを特徴とする請求項１記載の携帯用マルチディスプレイ装置。
【請求項６】
前記フレームが、前記ディスプレイの係合手段を固定するための係合部を備えていることを特徴とする請求項５記載の携帯用マルチディスプレイ装置。
【請求項７】
前記パネルハウジングが、前記フレームの係合部を固定するための固定手段を備えていることを特徴とする請求項６記載の携帯用マルチディスプレイ装置。
【請求項８】
前記フレームを装着するためのシャシーを更に備え、該シャシーには、スクリーン繋ぎ部が設けられていることを特徴とする請求項１記載の携帯用マルチディスプレイ装置。
【請求項９】
第１パネルハウジングに装着される前記フレームと、第２パネルハウジングに装着される前記フレームとが、互いに対称な構造であるように構成されていることを特徴とする請求項１記載の携帯用マルチディスプレイ装置。
【請求項１０】
前記ディスプレイのパネル又は駆動回路が、係合手段を備えることを特徴とする請求項５記載の携帯用マルチディスプレイ装置。
【請求項１１】
前記フレームを固定するための固定手段が、前記フレームの下部に形成されていることを特徴とする請求項１記載の携帯用マルチディスプレイ装置。
【請求項１２】
前記ディスプレイを互いに近接させる繋ぎ部が、前記フレームのスクリーン繋ぎ部に装着されていることを特徴とする請求項１記載の携帯用マルチディスプレイ装置。
【請求項１３】
前記パネルハウジングが、前記パネルハウジングの他の部分よりも薄く形成されたスクリーン繋ぎ部を備えていることを特徴とする請求項１記載の携帯用マルチディスプレイ装置。
【請求項１４】
前記フレームが、シャシーであることを特徴とする請求項１記載の携帯用マルチディスプレイ装置。
【請求項１５】
前記シャシーが、前記パネルハウジングの固定手段の上に装着されるシャシー係合部を備えていることを特徴とする請求項１４記載の携帯用マルチディスプレイ装置。
【請求項１６】
その一側面が互いに近接するように配される少なくとも二つ以上のパネルハウジングと、
少なくともその一側面が互いに近接するように該パネルハウジング上に装着される少なくとも二つ以上のディスプレイとを備え、
該ディスプレイが、係合手段を備えていることを特徴とする携帯用マルチディスプレイ装置。
【請求項１７】
前記係合手段が、前記ディスプレイパネル上に形成された切断部によって構成されていることを特徴とする請求項１６記載の携帯用マルチディスプレイ装置。
【請求項１８】
前記係合手段が、前記ディスプレイパネル上に備え付けられた係合部材であることを特徴とする請求項１７記載の携帯用マルチディスプレイ装置。
【請求項１９】
前記ディスプレイパネルが、該ディスプレイパネルを原板から分離する前に、上部基板又は下部基板を切削することによって形成された切断部を備えることを特徴とする請求項１８記載の携帯用マルチディスプレイ装置。
【請求項２０】
前記パネルハウジングが、該パネルハウジングの他の部分よりも薄く形成されたスクリーン繋ぎ部を備えていることを特徴とする請求項１６記載の携帯用マルチディスプレイ装置。
【発明の詳細な説明】
【技術分野】
【０００１】
本発明は、各々のディスプレイが少なくともその一辺を近接させながらパネルハウジングに堅固に装着されるような携帯用マルチディスプレイ装置に関する。
【背景技術】
【０００２】
二つ以上のディスプレイを用いて一つの大画面を構成する方法は大型表示装置に適用されて用いられている。
また、最近は、携帯用ディスプレイ装置においても無線インターネットなどのような機能が付加されて性能が向上されることに従い、大画面の必要性が増している。一般に、携帯用表示装置には平板ディスプレイが用いられ、平板ディスプレイとしてはＬＣＤ（liquid Crystal Display）、ＦＥＤ（Field Emission Display）、ＰＤＰ（Plasma Display Panel）、ＥＬ（Electro Luminescent）などがある。
【０００３】
一方、大画面携帯用ディスプレイ装置においては、大画面であることは、携帯用ディスプレイ装置としてのサイズや形態性というような基本的な特性を満たすことができない。そこで、互いが脱離可能に連結された平板ディスプレイを採用した携帯用ディスプレイ装置も提案されている。
このような方式のマルチディスプレイを採用した携帯用マルチディスプレイ装置においては、ディスプレイを互いに近接させるためにパネルハウジングに開口部を設け、該開口部によってディスプレイの少なくとも一辺を他のディスプレイと近接させることとしている。
【０００４】
しかしながら、このような装置においては、外部からの衝撃によって入力装置やバックライトシステムが開口部の外側へ脱落するという短所があり、該携帯用ディスプレイ装置の信頼性が低下するという問題があった。
【発明の開示】
【発明が解決しようとする課題】
【０００５】
従って、本発明は、上述したような従来技術の問題を解決するためのものである。
本発明は、各々のディスプレイが少なくともその一辺を互いに近接させながらパネルハウジングに堅固に装着することのできる携帯用マルチディスプレイ装置を提供することをその目的とする。
【課題を解決するための手段】
【０００６】
前記目的を達成するべく、本発明の携帯用マルチディスプレイ装置は、各種の回路およびディスプレイが装着され、これらのディスプレイをその一側面にて互いに近接させうるように構成された、少なくとも二つ以上のパネルハウジングと、前記ディスプレイをパネルハウジング内に装着すべく固定するためのフレームであって、その一側面にスクリーン繋ぎ部を有するフレームとを備える。
【０００７】
前記スクリーン繋ぎ部は、開口していたり、フレームの上部には形成されないようにすることができる。また、前記スクリーン繋ぎ部は、該フレームの他の部分よりも薄く形成することができる。
【０００８】
前記フレームに装着されるディスプレイは、係合手段を備え、ディスプレイのパネル又は駆動回路に、それぞれ係合手段を設けることができる。
【０００９】
前記フレームには、ディスプレイの係合手段を固定するための係合部を設ける。また、前記パネルハウジングには、前記フレームの係合部を固定するための固定手段が設けられる。
【００１０】
また、本発明の携帯用マルチディスプレイ装置は、前記フレームを装着するためのシャシーを更に備え、該シャシーには、スクリーン繋ぎ部が設けられる。
【００１１】
一方、第１パネルハウジングに装着される前記フレームと、第２パネルハウジングに装着される前記フレームとは、互いに対称な構造であるように構成される。
【００１２】
また、前記フレームを固定するための固定手段は、該フレームの下部に設けられる。
【００１３】
本発明において、前記ディスプレイを互いに近接させる繋ぎ部は、前記フレームのスクリーン繋ぎ部に装着される。
【００１４】
さらに、本発明において、ディスプレイアッセンブリは、フレームとシャシーの何れか一方のみにディスプレイアッセンブリが装着されるような状態で、パネルハウジング内に装着することもできる。この場合には、前記フレームが、シャシーとなる。
【００１５】
前記シャシーは、シャシー係合部を備え、該シャシー係合部はパネルハウジングの固定手段に装着される。
【００１６】
本発明は、さらに、その一側面が互いに近接するように配される少なくとも二つ以上のパネルハウジングと、少なくともその一側面が互いに近接するように該パネルハウジング上に装着される少なくとも二つ以上のディスプレイとを備え、該ディスプレイが、係合手段を備えていることを特徴とする携帯用マルチディスプレイ装置を提供する。
【００１７】
前記係合手段は、前記ディスプレイパネル上に形成された切断部であるか、又は前記ディスプレイパネル上に備え付けられた係合部材である。
【００１８】
また、前記切断部は、ディスプレイパネルを原板から分離する前に、上部基板又は下部基板を切削することによって形成することができる。
【発明を実施するための最良の形態】
【００１９】
以下、本発明の望ましい実施の形態につき、添付図面を参照して説明する。
本発明は、少なくとも二つ以上のフラットディスプレイを相互に近接させることによって連結し、一つの画面が見られるという効果を奏する携帯用マルチディスプレイ装置を提供する。ここで、フラットディスプレイとしては、ＬＣＤ、ＦＥＤ、ＰＤＰおよび電子紙（Electric  paper）などを使用することができる。
【００２０】
図１ａ及び図１ｂは、複数のディスプレイの一辺が近接した状態の、本発明に係る携帯用マルチディスプレイ装置の外観を示した図面である。
図１ａに示した通り、本発明の携帯用マルチディスプレイ装置は、各々のディスプレイ２、４が装着された二つのパネルハウジング２０および４０を備えている。該ディスプレイ装置が展開された場合には、ディスプレイ２、４の一側面が互いに近接するようになる。即ち、これらのディスプレイの一側面が互いに接触するか、又は互いに接近することにより、一つのスクリーンとして認識されるのである。このとき、これらのディスプレイの繋ぎ部は、互いに近接されることとなる。
【００２１】
前記二つのパネルハウジング２０および４０は、折りたたんだり展開したりできるように設計された連結手段６によって連結されている。本実施形態においては、前記連結手段６として、ヒンジが用いられている。また、該二つのパネルハウジング２０および４０は、回路によっても連結されたものであるが、図においては説明を省略した。
【００２２】
図１ｂは、ディスプレイが装着された一つのパネルハウジングを示したものである。
該パネルハウジング２０および４０には、ディスプレイ２、４の少なくとも一辺が近接しうるような開口８を有している。該開口８は必ず貫通されている必要はなく、該開口８を介してディスプレイの少なくとも一側面が近接できるように、パネルハウジング２０および４０の他の側面２０ａよりもより薄く形成することもできる。  
【００２３】
図２は、ディスプレイアッセンブリをフレームに装着する状態を示した図面である。
図面に示したように、ディスプレイパネル２ａおよびディスプレイ回路２ｂを有するディスプレイ２、入力装置１８、並びにバックライトシステム１９とからなるディスプレイアッセンブリは、フレーム１６１に装着される。
該入力装置１８には信号連結線１８ａとコネクター１８ｂが備えられており、バックライトシステム１９には導光板１９ａ、ランプ１９ｂ、電源供給線１９ｃおよびコネクター１９ｄが備えられている。
【００２４】
ここで、前記バックライトシステム１９、ディスプレイパネル２ａおよびディスプレイ回路２ｂは、前記フレーム１６１に設けられたバックライト装着部１６６、パネル装着部１６４、および回路装着部１６５に、それぞれ装着される。また、入力装置１８は、ディスプレイパネル２ａの上端に装着される。
【００２５】
一方、バックライト装着部１６６は、フレーム１６１に必ず備えられる必要はない。即ち。フレーム１６１が後述するシャシーに装着される場合には、下側シャシー１６ａの底面を、バックライトの装着部として機能させることもできる。
【００２６】
前記フレーム１６１にはスクリーン繋ぎ部１６３ｄが備えられ、第１パネルハウジング２０に装着されたフレーム１６１と、第２パネルハウジング４０に装着されたフレームを介することにより、前記ディスプレイ２および４が少なくともその一側面によって互いに近接するように構成される。
【００２７】
前記スクリーン繋ぎ部１６３ｄは、フレームを“コ”の字型になるように開放して形成するか、又はフレームの他の部分よりも薄く形成することによって構成することができる。また、フレーム１６１のスクリーン繋ぎ部１６３ｄは、フレーム１６１の上部には設けることなく、フレーム１６１の側部又は下部のみに設けてもよい。該フレーム１６１の好ましい厚みは約１ｍｍであるが、スクリーン繋ぎ部１６３ｄの厚みは、約０．３ｍｍである。
【００２８】
こうして、前記ディスプレイ２の繋ぎ部８’がフレーム１６１のスクリーン繋ぎ部１６３ｄに装着されている場合には、前記ディスプレイは、互いにその一側面によって近接するように構成される。
【００２９】
本発明においては、係合手段を前記ディスプレイアッセンブリと前記フレーム１６１とに設け、相互間の係合作用によってディスプレイがより堅固に固定されるように構成されている。
【００３０】
このために、前記ディスプレイパネル２ａおよびディスプレイ回路２ｂの一部が切開されて切開部２１が設けられ、入力装置１８およびバックライトシステム１９の導光板１９ａには、切開部２１ａ、２１ｂがそれぞれ設けられている。尚、前記スクリーンのディスプレイ領域２９’には、切開部を設けるべきではない。
【００３１】
前記フレーム１６１は、係合手段としての係合部１６２ａおよび１６２ｂをも備えている。また、係合部１６２ａおよび１６２ｂをフレーム１６１に堅固に固定するために、さらに、係合固定部１６３ａおよび１６３ｂが備えられる。該係合固定部１６３ａおよび１６３ｂは、前記係合部１６２ａおよび１６２ｂが外側へ開くのを防止するものである。
【００３２】
従って、ディスプレイアッセンブリがフレーム１６１に装着されると、ディスプレイアッセンブリの切開部２１、２１ａ、２１ｂは該フレーム１６１の係合部１６２ａおよび１６２ｂに係合され、ディスプレイは堅固に固定される。
【００３３】
図３は、図２に示されたフレームをシャシー上に装着する状態を示した図面である。
ディスプレイアッセンブリが装着されたフレーム１６１は、下側シャシー１６ａに装着され、上側シャシー１６ｅによって覆われる。上側シャシー１６ｅと下側シャシー１６ａは、シャシー固定部１６ｄおよび１６ｄ’によって堅固に固定される。ここで、前記ディスプレイ繋ぎ部８’は該シャシーのスクリーン繋ぎ部１６ｂに装着され、他方のディスプレイの繋ぎ部に近接するように構成される。図面において、未だ説明されていない符号１６ｃは、シャシー繋ぎ部である。
【００３４】
一方、フレーム１６１に入力装置１８を装着する際、入力装置１８を固定する必要があるため、入力装置固定部１８ｃが上側シャシー１６ｅの内面に形成される。該入力装置固定部１８ｃは、上側シャシー１６ｅではなく、前記フレーム１６１の上端に形成することもできる。
【００３５】
図４は、ディスプレイアッセンブリが、図２に示された係合手段とは異なる係合手段によってフレームに装着された場合の他の実施形態を示す図面である。
【００３６】
該図面に示されたように、ディスプレイ又はディスプレイアッセンブリの係合手段として、入力装置１８の上端には係合部材３１および３１’が備えられ、バックライトシステムの下端にも係合部材３２および３２’が備えられる。また、前記ディスプレイパネル２ａおよび前記ディスプレイ回路２ｂにも、他の係合部材３０および３０’が備えられる。
【００３７】
前記係合部材３０、３０’、３１、３１’は、前記スクリーンのディスプレイ領域２９’の内側には設けるべきではないが、バックライトシステム１９に付着される係合部材３２および３２’は、該スクリーンのディスプレイ領域２９’の内部に設けてもよい。
【００３８】
前記ディスプレイアッセンブリの前記係合部材３０、３０’、３１、３１’、３２および３２’は、図２に示されたものとは異なる係合部１６２ｃおよび１６２ｄに係合されることとなる。
【００３９】
前記ディスプレイパネル２ａがパネル装着部１６４に装着された場合、該係合部材３０は前記フレーム１６１の係合切開部１６４ｂに位置することとなるため、何ら妨害されることなく前記フレーム１６１の係合部１６２ｃおよび１６２ｄに固定することができる。
【００４０】
一方、バックライト装着部１６６から延長した延長部１６６’’を設けることができ、又、バックライト装着部１６６の下端を板状に形成し、隔てるようにすることもできる。また、バックライト装着部１６６の一部を切開することにより、バックライトシステム１９の下端に備えられる係合部材３２および３２’を装着することもできる。
【００４１】
図５は、図４に示したフレームをシャシーに装着する状態を示した図面である。
フレーム１６１に固定されたディスプレイアッセンブリが下側シャシー１６ａに装着され、そして上側シャシー１６ｅによって覆われると、該ディスプレイアッセンブリはシャシーに装着される。このとき、フレーム１６１の係合部１６２ｃおよび１６２ｄは、シャシー係合部１６ｃ’に固定される。
【００４２】
本実施形態においては、ディスプレイがスクリーン繋ぎ部１６ｂ’を基準として互いに近接されるように構成されているため、該スクリーン繋ぎ部１６ｂ’は前記シャシーの他の部分よりも薄く形成することができる。また、前記シャシーのスクリーン繋ぎ部１６ｂ’は、開口を形成するように切除されることもできる。さらに、前記シャシーのスクリーン繋ぎ部１６ｂ’は、前記繋ぎ部８’の上部に画面が表示されることを妨げないよう、前記シャシーの上部には形成せずに、前記シャシーの側部および下部のみに形成してもよい。
【００４３】
図６は、前記フレームおよびシャシーが、前記パネルハウジングに装着される状態を示した図面である。
前記ディスプレイアッセンブリが装着されたシャシー１６は、パネルハウジング２０に装着される。図面において、パネルハウジングに装着されたディスプレイアッセンブリおよびシャシー１６は、二点鎖線によって示されている。シャシー１６を装着した後、前記パネルハウジングのカバー２４を覆う。
【００４４】
シャシー１６のスクリーン繋ぎ部１６ｂ’は、パネルハウジング２０の開口８に装着され、シャシーのシャシー繋ぎ部１６ｃ’は、パネルハウジング２０の固定手段１６ｇに装着される。即ち、ディスプレイアッセンブリ２、１８、１９の係合手段は、最終的にはパネルハウジング２の固定手段１６ｇに固定されることとなる。
【００４５】
一方、パネルハウジング２０の開口８は、完全に開放された状態で形成することができ、若しくは、薄い板によって塞がれた状態とすることもできる。即ち、該開口８は、これを境界としてディスプレイが互いに近接するように構成される。
また、種々の回路およびＣＰＵがパネルハウジング内に装着され、表示装置が完成される。
【００４６】
上記の実施形態では、ディスプレイアッセンブリをフレームに装着し、そのフレームをシャシーに装着する例を説明した。しかし、本発明では、ディスプレイアッセンブリがパネルハウジングに装着される際、該ディスプレイアッセンブリが、フレーム又はシャシーの何れか一方にのみ装着された状態にて該ディスプレイアッセンブリが固定されるようにしてもよい。前記フレームとシャシーは、前記ディスプレイアッセンブリを固定するために、互いに類似の作用を有するものであり、これらのうち何れか一方を削除してもよい。
【００４７】
一方、シャシー１６およびフレーム１６１は、その構造において多少の差異はあるものの、その機能面においては共通するものである。前記シャシー１６は、一般的にはアルミニウムのような金属によって形成されるが、プラスチックによって形成されてもよい。前記フレーム１６１は、一般的にはプラスチックによって形成されるが、金属によって形成されてもよい。また、シャシー１６は平らな構造であり、下部構造も一層となっている。そして、フレーム１６１は、凹凸な表面構造に形成されたディスプレイアッセンブリに合うように、凹凸な表面構造に形成されており、前記ディスプレイは該フレーム１６１に堅固に固定される。前記フレーム１６１の下部構造は、バックライトシステムが装着されるように、２層以上に形成されていてもよい。
【００４８】
また、本発明においては、ディスプレイ２および４をパネルハウジング２０および４０に直接装着することもできる。即ち、ディスプレイ２および４は、シャシー１６やフレーム１６１に装着されず、パネルハウジング２０および４０に直接的に装着されるようにしてもよい。
【００４９】
図７ａおよび図７ｂは、ディスプレイパネルがフレームに装着される他の実施形態を示した図面である。
図７ａに示されたように、ディスプレイパネルは、“コ”の字状に形成された固定手段である装着係合部材３３に取り付けられ、ディスプレイは、装着係合部３３ａが係合作用することによってフレーム１６１に固定される。このとき、前記装着係合部材３３の斜線部分には樹脂接着剤又は両面接着剤などがコーティングされ、前記ディスプレイパネルは接着剤に装着されて堅固に固定される。
【００５０】
上述したように、ディスプレイパネル２ａを装着係合部材３３に装着する場合には、フレーム１６１のパネル装着部１６４を備える必要はない。
【００５１】
また、図７ｂに示されているように、前記ディスプレイパネル２ａは、前記フレーム１６１のパネル装着部１６４に取り付けてもよい。即ち、ディスプレイパネル２ａは、両面テープや接着剤によって、図７ｂの斜線部分に取り付けられる。
【００５２】
図８は、フレームの対称構造を表した図面である。
第１パネルハウジング２０に装着された第一フレーム１６１と、第２パネルハウジング４０に装着された第二フレーム１６１’は、互いに密着されるか、又は近接されるように構成されている。そして、第一フレーム１６１と第二フレーム１６１’は互いに対称構造に構成されている。ここで、対称構造というのは、物理的に完全な対称構造を意味するのではなく、回路装着部１６５、パネル装着部１６４およびバックライト装着部１６６が互いに対称的に配されていることを意味する。
【００５３】
図９は、ディスプレイをパネルハウジングに装着する他の実施形態を示した図面である。
この実施形態では、シャシー１６のシャシー係合部１６ｃとスクリーン繋ぎ部１６ｂとの間に段差が存在する。シャシー１６のシャシー係合部１６ｃは、パネルハウジングの側面２０ａに固定されており、シャシー１６もしくはディスプレイ２、４が開口８を通じて脱落しないようになっている。
【００５４】
図１０は、ディスプレイパネルを表す図面である。
通常、ディスプレイは、ディスプレイパネルとディスプレイ駆動回路部とに分けられる。ディスプレイパネルはガラス素材で作られており、一般的には上側基板２２と下側基板２８とから構成されている。駆動ＩＣと連結される駆動電極２６および２７は、上側基板２２および下側基板２８にそれぞれ設けられている。
【００５５】
そして、上側基板２２と下側基板２８とを互いに対面させた状態で接着するために、シーリング材２３が用いられている。ディスプレイが液晶ディスプレイである場合には、液晶注入口２５もさらに備えられる。
【００５６】
また、ディスプレイパネルの繋ぎ部８ａの側方には、係合手段としての切開部２１が設けられている。
さらに、切開部２１’を定義するために形成された上側基板２２と下側基板２８の延長部を結合するために、補助シーリング材２４が備えられている。
【００５７】
一方、前記ディスプレイがＥＬディスプレイである場合には、一つの基板が使用される。この場合には、前記切開部は一つの基板に設けられ、それ以外はＬＣＤの場合と同一に構成される。
【００５８】
図１１は、ディスプレイパネルに切開部を設ける方法を表した図面である。
ディスプレイパネルを制作する時、一つの原板に複数のディスプレイパネルが形成され、前記原板をスクライビング工程を通じて切断し、複数のディスプレイパネルを制作する。このとき、図面に示すように、原板内のディスプレイパネルは、左右対称に形成される。
切開部を設けるためには、ディスプレイパネルが原板から分離される前に、上側基板２２および下側基板２８の切開部に該当する部分が、鋸やドリルなどを用いて切削される。図面では、切開部は円弧形に形成されているが、折れ線形などの多様な形状に形成することができる。
【００５９】
図１２はディスプレイをフレームに装着する他の実施形態を表す図面である。
この実施形態では、ディスプレイアッセンブリは、バックライトシステムを有さず、ディスプレイパネル２ａとディスプレイ駆動回路２ｂとから構成されている。ディスプレイを固定するフレーム１６１は、ディスプレイ駆動回路を装着するための回路装着部１６５と、ディスプレイパネルを装着するためのパネル装着部１６４とを備えている。
そして、駆動回路２ｂおよびディスプレイパネル２ａは、フレーム１６１の係合部１６２ａ、１６２ｂへの係合手段として作用するような切開部２１を備えている。また、フレーム１６１に係合部１６２ａおよび１６２ｂをより堅固に固定するために、係合固定部１６３ａおよび１６３ｂを更に備えている。前記係合固定部１６３ａおよび１６３ｂは、係合部１６２ａ、１６２ｂが外側へ開くのを防止するために設けられたものである。
【００６０】
この時、ディスプレイパネル２ａと駆動回路２ｂとを互いに堅固に固定するための付着板を備えてもよい。該付着板は、駆動回路２ｂとディスプレイパネル２ａの間の境界に取り付けられる。図面では、付着板が付着される位置が点線で表されている。
【００６１】
図１３ａ乃至図１３ｃは、切開部を設ける方法として、他の実施形態を示した図面である。
図１３ａは、ディスプレイパネルに孔を設ける実施形態を説明した図面である。ディスプレイパネル２ａにおいて画面が表示されるスクリーン表示領域２９’と、駆動電極２６、２７以外の領域には、ドリルなどの切削機構を用いて係合孔３１が設けられている。
【００６２】
上記のように係合孔３１が設けられると、ディスプレイが装着されるフレーム１６１の係合部は、該係合孔３１に固定されるように形成されるべきである。
【００６３】
図１３ｂと図１３ｃは、ディスプレイの端面に段差が設けられた実施形態を示した図面であり、図１３ｃは、図１３ａのＤ部分の部分断面図である。
【００６４】
ディスプレイ端面に段差を形成するとき、両側と中央部に段差が設けられた図９の実施形態とは異なり、本実施形態ではディスプレイ繋ぎ部の端面の下部および上部に段差が設けられることによって係合作用が行なわれる。
【００６５】
即ち、図１３ｂに示したように、下側基板２８中の斜線部分が係合切削部３２であり、該係合切削部３２の一部若しくは全体を切削して係合手段が構成される。また、図１３ｃに示したように、下側基板２８の繋ぎ部の断面の一部を切削して係合切削部３２を設けて係合手段とする。
【００６６】
一方、ディスプレイが装着されるフレーム１６１の係合部も、係合切削部３２に適合するように形成される。
【００６７】
図１４は、パネルハウジングの連結切開部による係合作用の実施形態を示した図面である。
本発明のマルチディスプレイ装置が折り畳み式ディスプレイ装置に適用された場合には、図面に示したように、パネルハウジング２０に連結切開部６ａが設けられ、該連結切開部６ａに連結するような連結手段６が備えられる。
【００６８】
また、係合部および係合部の固定手段が図面の斜線部分によって示された連結切開領域内の何処かに位置すると、係合部１６ｃが連結切開部６ａに係合される場合と同一の効果が奏される。
【００６９】
図１５は、下端台部が備わったパネルハウジングを示した図面である。
図１４の連結切開部６ａが備えられていない場合には、図１５に示したように、パネルハウジングは下端台部２０ｂを備え、ディスプレイ２は下端台部２０ｂの上に配される。ここで、ディスプレイ２は、下端台部２０ｂに接着剤や両面接着テープで固定される。図面では、パネルハウジング２０に装着したディスプレイ２は、二点鎖線で示されている。
【００７０】
このように、ディスプレイ２はフレーム１６１を介して装着されたり、そのまま下端台部２０ｂに装着されることもできる。また、図３に示したように、該ディスプレイ２は、シャシー１６を介して下端台部２０ｂに装着される。
【００７１】
図１６ａと図１６ｂは、ディスプレイ固定手段の実施形態を示した図面である。
図１６ａおよび図１６ｂに示したように、パネルハウジング２０の下端台部２０ｂは、台部溝２０ｃと、台部突起２０ｄとを備える。また、ディスプレイ２は、その下部に前記台部溝２０ｃや台部突起２０ｄと結合し得るような溝、又は突起が備えている。即ち、前記下端台部２０ｂに装着できるディスプレイパネル２ａ、ディスプレイ回路２ｂ、フレーム１６１、又はシャシー１６は、その下部に溝又は突起を備えてもよい。
【００７２】
図１７は、ディスプレイをフレームに装着する他の実施形態を示した図面であり、固定手段がディスプレイ２の下端に位置するときのフレーム１６１の構造を示したものである。
この実施形態では、係合部材３０がディスプレイ２の境界線に出ないように、ディスプレイ２の下端に取り付けられている。
そして、該係合部材３０がディスプレイパネル２ａに備えられる場合には、パネル装着部１６４には係合切開部１６４ａが設けられ、ディスプレイパネル２ａがパネル装着部１６４に固定できるように構成されている。また、ディスプレイ回路２ｂに備えられた係合孔２ｃに係合突起１６６ｂを挿入することによって、ディスプレイ回路２ｂは回路装着部１６５に装着されている。
【００７３】
前記入力装置１８にも、該入力装置１８の境界部の外側へ出ないように、係合部材３１がさらに取り付けられる。この場合、シャシー１６又はパネルハウジング２０に、該入力装置１８の係合部材３１を固定するための係合手段が備えられる。
【００７４】
一方、前記バックライトシステム１９の下端にも、該バックライトシステム１９の境界から出ないように、さらに係合部材３２が取り付けられる。従って、バックライトシステム１９は、係合部材３２を固定するためのバックライト装着部１６６の係合溝１６６ａによって堅固に固定される。
【００７５】
上記のように、固定手段がディスプレイの境界部に出ないようにしてディスプレイの下端又は上端に固定手段が備えられることにより、図１４のように、連結切開部６ａが備えられないパネルハウジングであっても、ディスプレイを効果的に装着することができる。
【００７６】
一方、本実施形態では、フレームとシャシーの係合手段および固定手段として、突起構造および溝構造が例示されているが、それ以外にも、雄ネジおよび雌ネジの構造などを用いることもできる。
【００７７】
図１８は下端台部とは別に固定手段を備える実施形態の図面である。
本実施形態では、図面に示したように、パネルハウジング２０の下端台部２０ｂとは別に、固定手段２０ｅがパネルハウジングに備えられている。ディスプレイ、フレーム又はシャシーには、固定手段２０ｅが結合される溝などが備えられている。
【００７８】
図１９はパネルハウジングがスクリーン繋ぎ部を備えた実施形態を示す図面である。
図面に示したように、パネルハウジング２０は、ディスプレイの繋ぎ部８’、フレーム１６１のスクリーン繋ぎ部１６３ｄ、又はシャシー１６のスクリーン繋ぎ部１６ｂなどが装着される部分に、スクリーン繋ぎ部８ａを備えたものとすることができる。該ディスプレイ２は、パネルハウジング２０の他の部分よりも薄く形成されたスクリーン繋ぎ部８ａを介して互いに近接される。また、前述したように、スクリーン繋ぎ部８ａを開口８として構成することもできる。
【００７９】
以上、本実施形態では、折り畳み式ディスプレイ装置を例に挙げて本発明を説明したが、本発明は折り畳み式マルチディスプレイ装置以外にも、複数のパネルハウジングに装着されたディスプレイの少なくとも一辺が近接するようにパネルハウジングに開口、又はスクリーン繋ぎ部を設ける構造を有するマルチディスプレイ装置の全部に適用することができる。
【産業上の利用可能性】
【００８０】
本発明の携帯用マルチディスプレイ装置は、ディスプレイが装着されたフレームの少なくとも一辺にスクリーン繋ぎ部が設けられたことにより、複数のパネルハウジングに各々装着されたディスプレイがその一辺を互いに近接させながらパネルハウジングに堅固に固定されたものである。
【図面の簡単な説明】
【００８１】
【図１】図１ａおよび図１ｂは、本発明に係るマルチディスプレイ装置の外観を示す図面である。
【図２】図２は、ディスプレイアッセンブリをフレームに装着する状態を示す図面である。
【図３】図３は、図２のフレームをシャシーに装着する状態を示す図面である。
【図４】図４は、ディスプレイアッセンブリをフレームに装着する他の実施形態を示す図面である。
【図５】図５は、図４のフレームがシャシーに装着される状態を示す図面である。
【図６】図６は、フレームおよびシャシーが、パネルハウジングに装着される状態を示す図面である。
【図７】図７ａおよび図７ｂは、ディスプレイパネルがフレームに装着される他の実施形態を示す図面である。
【図８】図８は、フレームの対称構造を示す図面である。
【図９】図９は、ディスプレイをパネルハウジングに装着する他の実施形態を示す図面である。
【図１０】図１０は、ディスプレイパネルを示す図面である。
【図１１】図１１は、ディスプレイパネルに切開部を設ける方法を示す図面である。
【図１２】図１２は、ディスプレイをフレームに装着する他の実施形態を示す図面である。
【図１３】図１３ａ乃至図１３ｃは、切開部を設ける他の実施形態を示す図面である。
【図１４】図１４は、パネルハウジングの連結切開部に係合作用をさせる実施形態を示す図面である。
【図１５】図１５は、下端台部が備えられたパネルハウジングを示す図面である。
【図１６】図１６ａおよび図１６ｂは、ディスプレイ固定手段を示す実施形態の図面である。
【図１７】図１７は、ディスプレイをフレームに装着する他の実施形態を示す図面である。
【図１８】図１８は、下端台部とは別に備えられた固定手段の実施形態を示す図面である。
【図１９】図１９は、パネルハウジングにスクリーン繋ぎ部を備える実施形態の図面である。
【図１ａ】
2005516259.tif 000003
【図１ｂ】
2005516259.tif 000004
【図２】
2005516259.tif 000005
【図３】
2005516259.tif 000006
【図４】
2005516259.tif 000007
【図５】
2005516259.tif 000008
【図６】
2005516259.tif 000009
【図７ａ】
2005516259.tif 000010
【図７ｂ】
2005516259.tif 000011
【図８】
2005516259.tif 000012
【図９】
2005516259.tif 000013
【図１０】
2005516259.tif 000014
【図１１】
2005516259.tif 000015
【図１２】
2005516259.tif 000016
【図１３ａ】
2005516259.tif 000017
【図１３ｂ】
2005516259.tif 000018
【図１３ｃ】
2005516259.tif 000019
【図１４】
2005516259.tif 000020
【図１５】
2005516259.tif 000021
【図１６ａ】
2005516259.tif 000022
【図１６ｂ】
2005516259.tif 000023
【図１７】
2005516259.tif 000024
【図１８】
2005516259.tif 000025
【図１９】
2005516259.tif 000026
【国際調査報告】
2005516259.tif 000027
2005516259.tif 000028